(57)【特許請求の範囲】
【請求項１】
プレストレストコンクリート用緊張材を定着具に定着させるための、中空部が形成されたテーパ形状のウェッジであって、
前記中空部側の面に、頂部と谷部とからなる歯型が複数個形成されると共に夫々の前記頂部には大小二つの歯先が設けられていることを特徴とするウェッジ。
【請求項２】
前記小さい歯先の断面のなす角を鈍角にしたことを特徴とする請求項１に記載のウェッジ。
【請求項３】
前記大きい歯先の断面のなす角を鋭角にしたことを特徴とする請求項１または２に記載のウェッジ。
【請求項４】
隣合う前記頂部の間隔が大きくなるように前記谷部の領域を広げて形成したことを特徴とする請求項１ないし３の何れかに記載のウェッジ。
【請求項５】
前記谷部を通る横断面と一方の斜辺とのなす角（ａ１）が、他方の斜辺とのなす角（ａ２）よりも大きいことを特徴とする請求項１ないし４のいずれかに記載のウエッジ。
【発明の詳細な説明】
【０００１】
【発明の属する技術分野】
本発明は、ＰＣ（プレストレストコンクリート）用緊張材を定着具に定着させるためのウェッジに関する。
【０００２】
【従来の技術】
図１０は、従来のウェッジの内側面に形成されている歯型の形状を示す拡大断面図である。従来のウェッジは、ＰＣ構造物内に装着された緊張材（不図示）を中空部に通し、歯型１が形成されている内側面で前記緊張材を保持する。そして、ウェッジ全体を定着具に装着するかたちで前記緊張材をその装着具に装着する。
【０００３】
【発明が解決しようとする課題】
緊張材を保持するウェッジは、緊張材の強大な張力の影響を直接受けることになる。この結果、ウェッジの内側面に形成された歯型１が緊張材を保持するため、必要以上にその緊張材に食い込むことが起こりうる。このような場合、歯型１が必要以上に食い込んだ部分の緊張材断面の口径は小さくなる。そして、緊張材は断面の口径が前記張力に耐えることができないような大きさになった場合、その部分に破断が生じ緊張材が切断されてしまうという問題が起きる。
【０００４】
本発明は、上記のような従来技術の有する問題点に鑑みなされたものであり、その目的は、歯型が緊張材に対し必要以上に食い込むことを防止し、緊張材の破断を回避しうるウェッジを提供することにある。
【０００５】
【課題を解決するための手段】
本発明の請求項１に記載のウェッジは、上記目的を達成するため、プレストレストコンクリート用緊張材を定着具に定着させるための、中空部が形成されたテーパ形状のウェッジであって、前記中空部側の面に、頂部と谷部とからなる歯型が複数個形成されると共に夫々の前記頂部には大小二つの歯先が設けられていることを特徴とする。
本発明の請求項２に記載のウェッジは、請求項１に記載のウェッジにおいて、前記小さい歯先の断面のなす角を鈍角にしたことを特徴とする。
本発明の請求項３に記載のウェッジは、請求項１または２に記載のウェッジにおいて、前記大きい歯先の断面のなす角を鋭角にしたことを特徴とする。
本発明の請求項４に記載のウェッジは、請求項１ないし３の何れかに記載のウェッジにおいて、隣合う前記頂部の間隔が大きくなるように前記谷部の領域を広げて形成したことを特徴とする。
本発明の請求項５に記載のウェッジは、請求項１ないし４の何れかに記載のウェッジにおいて、前記谷部を通る横断面と一方の斜辺とのなす角（ａ１）が、他方の斜辺とのなす角（ａ２）よりも大きいことを特徴とする。
【０００６】
【発明の実施の形態】
以下、図示した一実施の形態に基づき、本発明を詳細に説明する。
【０００７】
（実施の形態１）
図１は、本実施の形態にかかるウェッジの外形を示す平面図である。図２は、本実施の形態にかかるウェッジの外形を示す側面図である。図３は、本実施の形態にかかるウェッジの外形を示す底面図である。本実施の形態のウェッジは、外形がテーパ形状をなし、上面１１から底面１２を貫く中空部１３が形成されている。そして、図４に示すように、ウェッジの内側（中空部１３側）面には、歯型１４が形成されている。
【０００８】
図５は、歯型１４の形状を示す断面図である。本実施の形態のウェッジでは、歯型１４を頂部１５と谷部１６で形成する。図６は、本実施の形態のウェッジの使用状態を示す拡大断面図である。本実施の形態のウェッジは、歯形１４で図７に示すようなＰＣ鋼線１７ａにエポキシ樹脂１７ｂを被覆した緊張材１７を保持する。本実施の形態のウェッジでは、谷部１６の領域を比較的広く確保し、隣合う頂部１５の間隔に余裕をもたせている。さらに、頂部１５に大小２つの歯先１５ａ，１５ｂを形成している。特に、大きい歯先１５ａの断面の角度が鋭角に、小さい歯先１５ｂの断面の角度が鈍角になるようにしている。
【０００９】
このように、本実施の形態では、大小２つの歯先１５ａ，１５ｂを形成したため、従来のウェッジのように歯先が１つの場合と比べ、歯先が緊張材１７のＰＣ鋼線１７ａに及ぼす力を分散させることができる。特に、本実施の形態では、小さい歯先１５ｂの断面が鈍角になるように形成しているため、小さい歯先１５ｂのＰＣ鋼線１７ａに対する食い込みをできるだけ小さくすることができる。これにより大きい歯先１５ａのＰＣ鋼線１７ａに対する食い込みが必要以上に大きくならないように調整することが可能になる。一方で、緊張材１７の保持力の低下を招くこともない。なお、かかる効果を期待するためには、大きい歯先１５ａと小さい歯先１５ｂとの高さの差は、０．２ｍｍ程度であることが好ましい。
【００１０】
図８は、本実施の形態のウェッジの使用状態を示す側面図である。ここに示すように、緊張材１７を本実施の形態のウェッジに保持した場合、緊張材１７は図の矢印方向へ強い力で引っ張られる。この強い張力がウェッジの歯先のＰＣ鋼線１７ａに対する食い込みを助長させることになる。
しかしながら、本実施の形態のウェッジでは、前述のように大小２つの歯先１５ａ，１５ｂを形成したため（図６参照）、従来のものとは異なり、緊張材１７を保持する場合、小さい歯先１５ｂの作用により大きい歯先１５ａがＰＣ鋼線１７ａに対し必要以上に食い込むことを防止する。したがって、ＰＣ鋼線１７ａに対する大きい歯先１５ａの食い込みすぎを原因とするＰＣ鋼線１７ａの破断を回避できる。
【００１１】
また、大小２つの歯先１５ａ，１５ｂがＰＣ鋼線１７ａに食い込む際、歯先１５ａ，１５ｂが食い込んだ部分のエポキシ樹脂１７ｂが盛り上がり谷部１６に収まる（図６参照）。本実施の形態のウェッジでは、この谷部１６（幅０．４ｍｍ程度が好ましい）を比較的広く形成したため、いったん谷部１６に収まったエポキシ樹脂１７ｂが谷部１６から溢れ出ることはない。したがって、谷部１６から溢れ出たエポキシ樹脂１７ｂにより歯先１５ａ，１５ｂがＰＣ鋼線１７ａから浮き上がるといった不具合も回避することができる。
【００１２】
（実施の形態２）
図９は、本実施の形態にかかるウェッジに形成された歯型の詳細形状を示す拡大断面図である。本実施の形態は、実施の形態１の変形例である。本実施の形態のウェッジは、歯型１４の谷部１６にエポキシ樹脂を溜めておくための領域を設けていない点以外は実施の形態１に示したものと同様の構成である。本実施の形態のウェッジは、エポキシ樹脂で被膜されていないＰＣ鋼線のみからなる緊張材に対して用いることを想定したものである。
【００１３】
以上、本発明の一実施形態を図面に沿って説明した。しかしながら本発明はこの実施の形態に示した事項に限定されず、特許請求の範囲の記載に基づいてその変更、改良等が可能であることは云うまでもない。例えば、用いる緊張材の特性に応じて歯型１４の形状を変えることが可能である。また、この実施の形態では、ＰＣ鋼線１７ａに防錆材としてエポキシ樹脂１７ｂが被覆された緊張材１７を用いて説明したが、本発明のウェッジはその他好適な防錆材で被覆された緊張材にも適用できる。
【００１４】
【発明の効果】
上述のように、本発明によれば、歯型が緊張材に対し必要以上に食い込むことを防止し、緊張材の破断を回避しうるウェッジを提供できる。
【図面の簡単な説明】
【図１】  実施の形態１にかかるウェッジの外形を示す平面図である。
【図２】  実施の形態１にかかるウェッジの外形を示す側面図である。
【図３】  実施の形態１にかかるウェッジの外形を示す底面図である。
【図４】  実施の形態１にかかるウェッジの内側面図である。
【図５】  実施の形態１のウェッジの内側面に形成された歯型１４の形状を示す断面図である。
【図６】  実施の形態１のウェッジの使用状態を示す拡大断面図である。
【図７】  緊張材１７の構造を示す断面図である。
【図８】  実施の形態１のウェッジの使用状態を示す側面図である。
【図９】  実施の形態２にかかるウェッジに形成された歯型の詳細形状を示す拡大断面図である。
【図１０】  従来のウェッジの内側面に形成されている歯型の形状を示す拡大断面図である。
【図１１】 図９において、形成された歯型の一方の斜辺の角度と他方の斜辺の角度を示す拡大断面図である。
【符号の説明】
１、１４  歯型
１１  上面
１２  底面
１３  中空部
１５  頂部
１５ａ、１５ｂ  歯先
１６  谷部
１７  緊張材
１７ａ  ＰＣ鋼線
１７ｂ  エポキシ樹脂
ａ１  谷部を通る横断面と一方の斜辺とのなす角
ａ２  他方の斜辺とのなす角
【図１】
0003679385.tif 000002
【図２】
0003679385.tif 000003
【図３】
0003679385.tif 000004
【図４】
0003679385.tif 000005
【図５】
0003679385.tif 000006
【図６】
0003679385.tif 000007
【図７】
0003679385.tif 000008
【図８】
0003679385.tif 000009
【図９】
0003679385.tif 000010
【図１０】
0003679385.tif 000011
【図１１】
0003679385.tif 000012